(57)【特許請求の範囲】
【請求項１】
第一の部材と、当該第一の部材に設けた受圧摺動面に対してスライド可能な摺動端を有する第二の部材と、前記第二の部材を回動可能に支持する第三の部材と、前記第二の部材を前記第三の部材から懸吊される懸吊部と、前記摺動端を受圧摺動面に接する一方向に付勢し得る付勢手段とを有し、前記第一の部材と前記第二の部材との間の空間が拡縮可能に動作し得る家具であって、前記第二の部材に対して他方向に外力が掛った際に前記摺動端と前記受圧摺動面とが離間するのを許容する離反可能領域を具備し、
前記受圧摺動面の一端部に前記摺動端を位置決めし得る位置決め面及び前記付勢手段の付勢により前記摺動端を前記位置決め面へ案内し得る復帰案内面を更に有し、
前記付勢手段を、懸吊部によって懸吊された際の前記第二の部材の自重による揺動動作によって前記受圧摺動面へ付勢し得るものとしていることを特徴とする家具。
【請求項２】
前記第一の部材を脚フレームとし、前記第二の部材を幕板とするとともに、前記第三の部材を前記脚フレームに対して回動可能に支持された天板としている請求項１記載の家具。
【発明の詳細な説明】
【技術分野】
【０００１】
本発明は各部を動作させることができる家具に関するものである。
【背景技術】
【０００２】
従来、特に会議室などでは、非使用時に多くのテーブルを少ないスペースに収容することができるように、例えばテーブルの天板を縦に跳ね上げて、他の同型のテーブルとスタックするなどして、少ないスペースにしまい込むことができる、フラップ天板式のテーブルや、座板などをコンパクトに折り畳み得る椅子などといった家具が多く使用されている。
【０００３】
このようなものの中には、例えば収納に適した収納状態から使用状態へと動作させる際に、フレームや、幕板、座板などの間に衣服や手指といった異物が挟まってしまうことを未然に回避するために各部にカバーを設けたもの（例えば、特許文献１参照）も提案されている。
【０００４】
また、前記異物が挟まった際には各部が所定距離退避することにより、強い挟み込みを未然に防ぐといった、所謂安全装置を設けたものも提案されている（例えば、特許文献２参照）。
【特許文献１】特開平９−７０３１９号公報
【特許文献２】特開平７−３２７７４３号公報
【発明の開示】
【発明が解決しようとする課題】
【０００５】
しかしながら、特許文献１に記載したものにおいても、このような家具の動作箇所にカバーを設けるとなれば、いきおい家具の多数の箇所に設けなければならなかったり、一連の動作範囲において動作箇所を被覆するために大掛かりなものとなったりする場合がある。
【０００６】
さらには、特許文献２のような安全装置を採用したものの場合、当該安全装置自体を設けるために家具の構造が複雑になってしまうといったことも起こり得る。
【０００７】
本発明は、このような不具合に着目したものであり、簡素な構成としながらも、動作の際における異物の挟み込みを有効に回避し得る家具を提供する。
【課題を解決するための手段】
【０００８】
本発明は、このような目的を達成するために、次のような手段を講じたものである。すなわち、本発明に係る家具は、第一の部材と、当該第一の部材に設けた受圧摺動面に対してスライド可能な摺動端を有する第二の部材と、前記摺動端を受圧摺動面に接する一方向に付勢し得る付勢手段とを有し、前記第一の部材と前記第二の部材との間の空間が拡縮可能に動作し得る家具であって、前記第二の部材に対して他方向に外力が掛った際に前記摺動端と前記受圧摺動面とが離間するのを許容する離反可能領域を具備している。
【０００９】
このようなものであれば、簡単な構成としながらも、第一の部材と第二の部材との間の拡縮し得る空間に異物を挟み込んでしまった場合であっても、摺動端が離間可能領域によって受圧摺動面から好適に離間させることにより、前記空間に異物を挟み込んだ状態で第一の部材と第二の部材とが前記空間を縮小させる方向へ動作してしまうという不具合を有効に回避することができ、ひいては安全性の高い家具を構成する事が可能となる。
【００１０】
また、第一の部材と第二の部材とが動作する動作端で、第二の部材を好適に位置決めするためには、受圧摺動面の一端部に摺動端を位置決めし得る位置決め面を更に有する。
【００１１】
そして、摺動端が受圧摺動面に対して離間した状態からであっても正確に摺動端を位置決め面に復帰させるためには、付勢手段の付勢により前記摺動端を前記位置決め面へ案内し得る復帰案内面を更に有する。
【００１２】
さらに、第二の部材の動作を単純な構成で且つ正確に行なわせるための本発明の具体的な構成としては、第二の部材を回動可能に支持する第三の部材を更に有する。
【００１３】
ここで、格別な構成要素を何ら付与することなく付勢手段を構成し、部品点数の削減を有効に実現するためには、第二の部材を第三の部材から懸吊される懸吊部をさらに有するものとし、付勢手段を、懸吊部によって懸吊された際の第二の部材の自重による揺動動作によって受圧摺動面へ付勢し得るものであることを特徴としている。
【００１４】
そして、本発明に係る家具の具体的な構成として、第一の部材を脚フレームとし、第二の部材を幕板とするとともに、第三の部材を前記脚フレームに対して回動可能に支持された天板とした、所謂テーブルとしたものを挙げることができる。
【発明の効果】
【００１６】
本発明によれば、簡単な構成としながらも、第一の部材と第二の部材との間の拡縮し得る空間に異物を挟み込んでしまった場合であっても、摺動端が離間可能領域によって受圧摺動面から好適に離間させることにより、前記空間に異物を挟み込んだ状態で第一の部材と第二の部材とが前記空間を縮小させる方向へ動作してしまうという不具合を有効に回避することが可能である。
【発明を実施するための最良の形態】
【００１７】
以下、本発明の一実施の形態について図面を参照して説明する。
【００１８】
本実施形態では本発明を、主に会議室などで使用される、脚フレーム１に回転可能に支持された天板３が略水平となる使用状態（Ｐ）から略鉛直に起立する収納状態（Ｒ）にフラップ動作させることによって水平方向に複数をスタック可能に構成した、いわゆるフラップ式のテーブルＡに適用した一例を示すものとする。
【００１９】
テーブルＡは、第一の部材たる脚フレーム１と、脚フレーム１に対してスライド動作可能に配置される幕板２と、当該幕板２を懸吊支持している天板３とによって主に構成されているものである。そして本実施形態では天板３、脚フレーム１の配置並びに幕板２の重心位置を設定することによって、幕板２の下端に位置する後述するスライド部を脚フレーム１のガイド部に向けて付勢する付勢手段Ｒを構成しているものであるが、斯かる付勢手段Ｒについては後述する。
【００２０】
ここで、本実施形態に係るテーブルＡは、第一の部材たる脚フレーム１と、当該脚フレーム１に設けた受圧摺動面１３に対してスライド可能な摺動端２２を有する第二の部材たる幕板２と、摺動端２２を受圧摺動面１３に接する一方向に付勢し得る付勢手段Ｒとを有し、脚フレーム１と幕板２との間の空間Ｓが拡縮可能に動作し得る家具であって、幕板２に対して他方向に外力が掛った際に摺動端２２と前記受圧摺動面１３とが離間するのを許容する離反可能領域１７を具備していることを特徴とするものである。そして摺動端２２が離反可能領域１７を通過して動作すると、図５に示すように幕板２が脚フレーム１に対して離間した状態を一時的に形成するものとしている。
【００２１】
以下、テーブルＡの各部における構成について説明する。
【００２２】
脚フレーム１は、天板３の両側端を支持すべく左右略対称形状に一対設けられたものであり、上端において天板３を回動可能に支持する天板支持部１１と、下端においてテーブルＡ自体を移動させるためのキャスタ１２と、幕板２をスライド可能に支持するためのガイド部１０を有している。天板支持部１１は、図１及び図２に示す使用状態（Ｐ）から、天板３側に設けられたレバーＬの操作により図３に示すように天板３の使用端側から上方に跳ね上げ、図４に示すような複数のテーブルＡを好適にスタックし得るように天板３を脚フレーム１に略沿った角度とする収納状態（Ｒ）とをとり得るものであるが、斯かる具体的な構成については既存の種々の構成を採用し得るものであるため、詳細な説明は省略するものとする。キャスタ１２についても、好適にテーブルＡを移動させ得る状態とテーブルＡを所定位置に位置決めし得る状態とを選択可能にし得るものを採用しているが、当該キャスタ１２についても既存の種々のものを採用し得るため、詳細な説明を省略するものとする。
【００２３】
ガイド部１０は、特に図６（ｂ）に断面で示すように脚フレーム１の表面を摺動端２２の先端部分を収容し得る程度に一部凹ませることによって脚フレーム１に一体に形成したものであり、図５乃至図９に示すように、当該ガイド部１０の前端において幕板２の後述するスライド部２０に設けた摺動端２２をスライド可能に移動させ得る受圧摺動面１３と、使用状態（Ｐ）とした際に受圧摺動面１３の上端において天板３を摺動端２２を位置決めし得る位置決め面たる第一位置決め面１４と、受圧摺動面１３の下端において幕板２を収納状態（Ｒ）とした際に摺動端２２を位置決めし得る位置決め面たる第二位置決め面１５と、摺動端２２が後述する付勢手段Ｒによって動作する際に摺動端２２を第一位置決め面１４に案内し得る復帰案内面１６とを有している。そしてガイド部１０は、受圧摺動面１３よりも後方において、摺動端２２と受圧摺動面１３とが離間するのを許容し得る離間可能領域１７を有している。
【００２４】
幕板２は、図１乃至図５に示すように、一対の脚フレーム１に亘って配置され、使用位置において脚フレーム１に略沿った状態で配置されることにより下肢空間を前方から遮蔽するものであり、上端部両側付近において天板３に懸吊支持されるための懸吊部２１と、下端部において脚フレーム１のガイド部１０に対してスライド可能に支持されるスライド部２０とを有している。そしてスライド部２０は、図６乃至図９に詳細に示すように、本実施形態では幕板２の下端両側から突出させた一対の突起状の摺動端２２を有するものとしている。
【００２５】
天板３は、図１乃至図５に示すように、脚フレーム１に対して回動軸部３１において回動可能に支持されたものであり、本実施形態では、天板３の前端すなわち反使用縁の両側付近に、幕板２の懸吊部２１を回転可能に懸吊支持する幕板支持部３２を有するものとし、当該天板３が回動する際に、幕板２を連動させ得るものとしている。
【００２６】
付勢手段Ｒは、図１乃至図５に示すように、上述した摺動端２２を前方すなわち受圧摺動面１３に向けた一方向へ付勢するものであるが、本実施形態においては、懸吊部２１によって懸吊された際の幕板２の重心や、天板３に幕板２が懸吊される位置、そして脚フレーム１の位置を適宜設定することにより、当該幕板２の自重による揺動動作によって摺動端２２を受圧摺動面１３へ付勢し得るものとしている。言い換えれば、仮に摺動端２２を受圧摺動面１３に接することなく天板３に対して懸吊させた場合、摺動端２２は常に脚フレーム１よりも前側の位置で静止するように設定されるものとしている。勿論、付勢手段Ｒは斯かる態様の他に、例えば懸吊部２１の箇所に例えばコイルバネなどの弾性部材によって幕板２を弾性付勢する構成など、既存の種々の構成を適用し得るものである。
【００２７】
しかして本実施形態に係るテーブルＡは、上述の通り付勢手段Ｒを有するとともに、第二の部材たる幕板２に対して付勢手段Ｒが付勢する方向とは逆の方向である後方側に外力が掛った際に摺動端２２と受圧摺動面１３とが離間するのを許容する離反可能領域１７を具備していることを特徴とするものである。
【００２８】
以下に、付勢手段Ｒ並びに離反可能領域１７の作用について図６乃至図９に示して具体的に説明する。
【００２９】
本実施形態では、テーブルＡを使用状態（Ｐ）から収納状態（Ｒ）へと相互に動作させる際には、図２乃至図４、及び図６乃至図８に示すように、スライド部２０の摺動端２２は第一位置決め面１４から第二位置決め面１５の間を受圧摺動面１３に接しながら移動する。
【００３０】
ここで、図４並びに図８に示す収納状態（Ｒ）では、幕板２と脚フレーム１との間には拡縮し得る空間Ｓが存在することとなり、収納状態（Ｒ）から使用状態（Ｐ）へ至る過程で斯かる空間Ｓは側面視面積を縮小させることなる。そしてその際に仮に空間Ｓに何らかの異物が挟み込まれた場合には、摺動端２２には、付勢手段Ｒに付勢される一方向とは反対の他方向に付勢する外力が作用する。その場合、図５並びに図９に示すように摺動端２２は離間可能領域１７を通過する動作を行なうことにより幕板２の下端のスライド部２０がガイド部１０に対して離間することによって、異物が挟み込まれた状態から開放されることとなるため、異物に一定以上の挟み込みの力が作用してしまうといった事が有効に回避されることとなる。そして異物が除去されれば、付勢手段Ｒによって再び摺動端２２は受圧摺動面１３に接することにより、摺動端２２が受圧摺動面１３に対して摺動し得る状態へと好適に復帰し得るものとなっている。特に使用状態（Ｐ）とした場合には、図２及び図６に示すような、付勢手段Ｒに付勢された摺動端２２は復帰案内面に案内されながら第一位置決め面１４の位置へ好適に案内されることとなる。
【００３１】
以上のような構成とすることにより、本実施形態に係るテーブルＡは簡単な構成としながらも、斯かる付勢手段Ｒと受圧摺動面１３の作用によって、空間Ｓに異物を挟み込んでしまった場合であっても、摺動端２２が離間可能領域１７によって受圧摺動面１３から好適に離間させることにより、前記空間Ｓに異物を挟み込んだ状態で脚フレーム１と幕板２とが前記空間Ｓを縮小させる方向へ動作してしまうという不具合を有効に回避することができ、ひいては安全性の高いテーブルＡを構成し得ている。そして本実施形態では異物が除去されれば、付勢手段Ｒによって再び摺動端２２は受圧摺動面１３に接することにより、摺動端２２が受圧摺動面１３に対して摺動し得る状態へと好適に復帰し得るものとなっている。
【００３２】
そして本実施形態では、使用状態（Ｐ）並びに収納状態（Ｑ）ではそれぞれ位置決め面である第一位置決め面１４並びに第二位置決め面１５がそれぞれ摺動端２２を位置決めすることにより幕板２を安定して支持するとともに、図３に示すような使用状態（Ｐ）から収納状態（Ｑ）に至る間の位置でのみ摺動端２２と受圧摺動面１３とを離間させ易く構成している。
【００３３】
更に本実施形態では、摺動端２２が受圧摺動面１３から離間しても、付勢手段によって再び摺動端２２が受圧摺動面１３に接した状態となるが、その際摺動端２２は復帰案内面１６に接した場合好適に第一位置決め面１４に案内されるので、使用者は何ら幕板を戻す作業をすることなく、本実施形態では使用状態（Ｐ）とすれば摺動端２２が第一位置決め面１４へ位置付けられた、幕板２が安定して支持された状態とすることができる。
【００３４】
そして、本実施形態では幕板２を天板３に対して回動動作可能に構成しているので、第二の部材である幕板２の動作は、単純な構成で取り付けられているにも拘らず、正確に動作し得るものとなっている。さらには、懸吊部２１によって天板３が幕板２を懸吊する構成を採用して、懸吊部２１によって懸吊された際の幕板の２自重による揺動動作によって摺動端２２を受圧摺動面１３へ付勢し得るものとしている。すなわち何ら格別の部材を要することなく付勢手段Ｒの構成を実現し得たものとなっている。
【００３５】
以上、本発明の実施形態について説明したが、各部の具体的な構成は、上述した実施形態のみに限定されるものではなく、以下に記す変形例１乃至変形例４にのように、本発明の趣旨を逸脱しない範囲で種々変形が可能である。また以下に示す拡変形例において、上記実施形態に対応する構成要素を示すものについては符合の語尾にそれぞれａ、ｂ、ｃ、ｄを付して示すものとして、各部の具体的な説明を適宜省略するものとする。
【００３６】
＜参考例１＞
本参考例では、図１０に模式的に示すように、上記実施形態とは異なる構成を有するフラップ式のテーブルＡａに適用した一例を示すものである。
【００３７】
斯かるテーブルＡａについても、第一の部材たる脚フレーム１ａと、脚フレーム１ａに対してスライド動作可能に配置される第二の部材である幕板２ａと、当該幕板２ａを懸吊支持している第三の部材である天板３ａとによって主に構成されているものである。
【００３８】
そして本参考例では同図に示す使用状態（Ｐ）において幕板２ａと脚フレーム１ａとの間に空間Ｓが形成されており、天板３ａを縦にフラップ動作させることによって摺動端２２ａが受圧摺動面１３ａに沿って下方に移動するとともに、当該空間Ｓが側面視縮小していく構成を有するものとなっている。また本参考例では、付勢手段Ｒａを、天板３ａと幕板２ａとの結合部分に図示しないコイルバネなどを設けることに構成している。すなわち付勢手段Ｒａは、幕板２ａの下端に位置するスライド部２０ａを脚フレーム１ａのガイド部１０ａに向けて弾性付勢するものとなっている。
【００３９】
しかして本参考例に係るテーブルＡａは上記実施形態と同様に、第二の部材たる幕板２ａに対して付勢手段Ｒａが付勢する方向とは逆の方向である後方側に外力が掛った際に摺動端２２ａと受圧摺動面１３ａとが離間するのを許容する離反可能領域１７ａを具備していることを特徴とするものである。
【００４０】
斯かる構成の場合、使用状態（Ｐ）から収納状態へと姿勢変更する際に空間Ｓに異物などが挟まってしまった場合には付勢手段Ｒａの付勢方向とは逆方向の外力が働くこととなり、スライド部２０ａの摺動端２２ａは離間可能領域１７ａを通過して図示前方へ移動し、異物が挟み込まれた状態から開放されることとなるため、異物に一定以上の挟み込みの力が作用してしまうといった事が有効に回避されることとなる。
【００４１】
＜参考例２＞
続いて本参考例では、図１１（ａ）及び図１１（ｂ）に模式的に示すように、第一の部材たる箱状の収納庫本体１ｂと当該収納庫本体１ｂに取り付けた第二の部材たる扉体２ｂとを有する収納庫Ａｂを示すものとする。斯かる収納庫Ａｂの扉体２ｂは、２枚に折り畳み得る構成となっており、当該扉体２ｂの一端が収納庫本体１ｂに回動可能に支持されるとともに、他端に設けたスライド部２０ｂが収納庫本体に設けたガイド部１０ｂに沿ってスライドするものとなっている。具体的には、スライド部２０ｂの摺動端２２ｂが、ガイド部１０ｂの受圧摺動面１３ｂに沿って摺動し得るものとなっている。そして、付勢手段Ｒｂを、扉体２ｂの一端と収納庫本体１ｂとの接続位置並びに扉体２ｂの中間位置に矢印でそれぞれ示す方向に弾性付勢し得る例えばコイルバネ等によって構成したものとしている。
【００４２】
しかして本参考例に係る家具たる収納庫Ａｂは、上記実施形態並びに参考例と同様に、第二の部材たる扉体２ｂに対して付勢手段Ｒｂが付勢する方向とは逆の方向に外力が掛った際に摺動端２２ｂと受圧摺動面１３ｂとが離間するのを許容する離反可能領域１７ｂを具備していることを特徴とするものである。
【００４３】
すなわち本参考例においても、ガイド部１０ｂに離間可能領域１７ｂを設けることにより、扉体２ｂを開閉する際に空間Ｓに異物などが挟まってしまった場合には付勢手段Ｒｂの付勢方向とは逆方向の外力が働くこととなり、スライド部２０ｂの摺動端２２ｂは離間可能領域１７ｂを通過して本実施形態では収納庫本体１ｂの内方へ移動し、異物が挟み込まれた状態から開放されることとなる。そのため、異物に一定以上の挟み込みの力が作用してしまうといった事が有効に回避されることとなる。
【００４４】
＜参考例３＞
また本参考例では図１２に要部として示すような、第一の部材である天板１ｃに対して第三の部材である脚体３ｃを回転させることによって脚体３ｃを天板１ｃに沿って折り畳み得る会議用テーブルＡｃを示すものとする。そして本参考例では第二の部材を、一端を脚体３ｃに回動可能に支持されるとともに他端側を天板１ｃに設けたガイド部１０ｃに沿ってスライド可能に設けたスライド部２０ｃを有する天板支持部たるステー２ｃとしている。具体的には、スライド部２０ｃの摺動端２２ｃが、ガイド部１０ｃの受圧摺動面１３ｃに沿って摺動し得るものとなっている。そして、付勢手段Ｒｃを、ステー２ｃの一端と脚体３ｃとの接続位置に矢印で示す方向に弾性付勢し得る例えばコイルバネ等によって構成したものとしている。
【００４５】
しかして本参考例に係る家具たる収納庫Ａｃは、上記実施形態並びに参考例と同様に、第二の部材たるステー２ｃに対して付勢手段Ｒｃが付勢する方向とは逆の方向に外力が掛った際に摺動端２２ｃと受圧摺動面１３ｃとが離間するのを許容する離反可能領域１７ｃを具備していることを特徴とするものである。
【００４６】
すなわち本参考例においても、ガイド部１０ｃに離間可能領域１７ｃを設けることにより、脚体３ｃを折り畳む際に空間に異物などが挟まってしまった場合には付勢手段Ｒｃの付勢方向とは逆方向の外力が働くこととなり、スライド部２０ｃの摺動端２２ｃは離間可能領域１７ｃを通過して下方へ移動し、異物が挟み込まれた状態から開放されることとなる。そのため、天板１ｃとステー２ｃとの間の空間Ｓに挟まれた異物に一定以上の挟み込みの力が作用してしまうといった事が有効に回避されることとなる。
【００４７】
＜参考例４＞
最後に本参考例では、図１３（ａ）及び図１３（ｂ）に示すように、第一の部材である背側フレーム１ｄに対して第三の部材である座側フレーム３ｄを回転させることによって図１３（ａ）に示す使用状態（Ｐ）から図１３（ｂ）に示す収納状態（Ｑ）に折り畳み得る折り畳み椅子Ａｄを示すものとする。そして本参考例では、第二の部材を、一端を座側フレーム３ｄに回動可能に支持されるとともに他端側を背側フレーム１ｄに設けたガイド部１０ｄに沿ってスライド可能に設けたスライド部２０ｄを有する座２ｄとしたものとしている。具体的には、スライド部２０ｄの摺動端２２ｄが、ガイド１０ｄの受圧摺動面１３ｄに沿って摺動し得るものとなっている。そして、付勢手段Ｒｄを、座２ｄの一端と座側フレーム３ｄとの接続位置に矢印で示す方向に弾性付勢し得る例えばコイルバネ等によって構成したものとしている。
【００４８】
しかして本参考例に係る家具たる折り畳み椅子Ａｄは、上記実施形態並びに参考例と同様に、第二の部材たる座２ｄに対して付勢手段Ｒが付勢する方向とは逆の方向に外力が掛った際に摺動端２２ｄと受圧摺動面１３ｄとが離間するのを許容する離反可能領域１７ｄを具備していることを特徴とするものである。
【００４９】
すなわち本参考例においても、ガイド部１０ｄに離間可能領域１７ｄを設けることにより、折り畳む際に空間Ｓに異物などが挟まってしまった場合には付勢手段Ｒｄの付勢方向とは逆方向の外力が働くこととなり、スライド部２０ｄの摺動端２２ｄは離間可能領域１７ｄを通過して下方へ移動し、異物が挟み込まれた状態から開放されることとなる。そのため、背側フレーム１ｄと座２ｄとの間の空間Ｓに挟まれた異物に一定以上の挟み込みの力が作用してしまうといった事が有効に回避されることとなる。
【００５０】
その他、各部の具体的構成についても上記実施形態に限られるものではなく、本発明の趣旨を逸脱しない範囲で種々変形が可能である。
【図面の簡単な説明】
【００５１】
【図１】本発明の一実施形態に係る外観図。
【図２】同実施形態に係る側面図。
【図３】同実施形態に係る図２に対応した動作説明図。
【図４】同上。
【図５】同上。
【図６】同実施形態に係る要部平面図並びに当該平面図に対応した断面図。
【図７】同実施形態に係る図６に対応した動作説明図。
【図８】同上。
【図９】同上。
【図１０】本実施形態の参考例１を示す模式的な説明図。
【図１１】本実施形態の参考例２を示す模式的な説明図。
【図１２】本実施形態の参考例３を示す模式的な説明図。
【図１３】本実施形態の参考例４を示す模式的な説明図。
【００５２】
Ａ…家具（テーブル）
１…第一の部材（脚フレーム）
１３…受圧摺動面
１４…位置決め面（第一位置決め面）
１５…位置決め面（第二位置決め面）
１６…復帰案内面
１７…離反可能領域
２…第二の部材（幕板）
２１…懸吊部
２２…摺動端
３…第三の部材（天板）
Ｒ…付勢手段
Ｓ…空間
Ａａ…家具（テーブル）
１ａ…第一の部材（脚フレーム）
１３ａ…受圧摺動面
１７ａ…離反可能領域
２ａ…第二の部材（幕板）
２２ａ…摺動端
３ａ…第三の部材（天板）
Ｒａ…付勢手段
Ａｂ…家具（収納庫）
１ｂ…第一の部材、収納庫本体（収納庫本体）
１３ｂ…受圧摺動面
１７ｂ…離反可能領域
２ｂ…第二の部材、扉体（扉体）
２２ｂ…摺動端
Ｒｂ…付勢手段
Ａｃ…家具（会議用テーブル）
１ｃ…第一の部材、天板（天板）
１３ｃ…受圧摺動面
１７ｃ…離反可能領域
２ｃ…第二の部材、天板支持部（ステー）
２２ｃ…摺動端
３ｃ…第三の部材（脚体）
Ｒｃ…付勢手段
Ａｄ…家具（折り畳み椅子）
１ｄ…第一の部材（背側フレーム）
１３ｄ…受圧摺動面
１７ｄ…離反可能領域
２ｄ…第二の部材（座）
２２ｄ…摺動端
３ｄ…第三の部材（座側フレーム）
Ｒｄ…付勢手段
【図１】
0005150918.tif 000002
【図２】
0005150918.tif 000003
【図３】
0005150918.tif 000004
【図４】
0005150918.tif 000005
【図５】
0005150918.tif 000006
【図６】
0005150918.tif 000007
【図７】
0005150918.tif 000008
【図８】
0005150918.tif 000009
【図９】
0005150918.tif 000010
【図１０】
0005150918.tif 000011
【図１１】
0005150918.tif 000012
【図１２】
0005150918.tif 000013
【図１３】
0005150918.tif 000014